(57)【要約】  医療用トレイは、可撓性を有する長尺のカテーテル本体と、カテーテル本体の基端部に設置されたハブとを有する複数のカテーテルを一時的に載置するものである。この医療用トレイは、底板と、底板の縁部に沿って立設した壁部とを有し、底板と壁部とで、各カテーテル本体が収納される収納空間が画成されるトレイ本体と、カテーテルの基端側の部分を支持する複数の支持部とを備え、各支持部は、壁部の１つに対して複数設けられたものであり、各支持部に支持されたカテーテルの基端側の部分の壁部に対する支持角度が互いに異なるように配置されている。
2008139852.tif 000002
【特許請求の範囲】
【請求項１】
可撓性を有する長尺のカテーテル本体と、該カテーテル本体の基端部に設置されたハブとを有する複数のカテーテルを一時的に載置する医療用トレイであって、
底板と、該底板の縁部に沿って立設した壁部とを有し、前記底板と前記壁部とで、前記各カテーテル本体が収納される収納空間が画成されるトレイ本体と、
前記カテーテルの基端側の部分を支持する複数の支持部とを備え、
前記各支持部は、前記壁部の１つに対して複数設けられたものであり、前記各支持部に支持された前記カテーテルの基端側の部分の前記壁部に対する支持角度が互いに異なるように配置されていることを特徴とする医療用トレイ。
【請求項２】
前記各カテーテル本体は、それぞれ、前記収納空間に収納されたとき、前記壁部によって、形状がループをなすように規制される請求項１に記載の医療用トレイ。
【請求項３】
前記各支持部は、前記カテーテルの基端側の部分を、そのカテーテル本体のループの接線方向に支持するよう構成されている請求項２に記載の医療用トレイ。
【請求項４】
前記カテーテルを取り出す際、前記カテーテル本体が形成するループの接線方向とほぼ等しい方向に取り出しを行なう請求項２に記載の医療用トレイ。
【請求項５】
前記トレイ本体は、平面視での形状が四角形をなすものであり、
前記複数の支持部は、前記トレイ本体の４辺のうちの１辺に設けられている請求項１に記載の医療用トレイ。
【請求項６】
前記トレイ本体は、平面視での形状が長方形をなすものであり、
前記複数の支持部は、前記長方形の２つの長辺のうちの１辺に集中して設けられている請求項１に記載の医療用トレイ。
【請求項７】
前記複数の支持角度は、前記１辺の一端側から他端側に向かって徐々に小さくなっている請求項５または６に記載の医療用トレイ。
【請求項８】
隣接する前記支持部同士の間隔は、前記１辺の一端側から他端側に向かって徐々に大きくなっている請求項５または６に記載の医療用トレイ。
【請求項９】
前記各支持部は、それぞれ、上方に向かって開口する凹部を有する形状がＣ字状、Ｕ字状またはその内面が屈曲したような形状をなしており、前記カテーテルの基端側の部分が前記凹部内に挿入されて支持される請求項１に記載の医療用トレイ。
【請求項１０】
前記凹部の底面は、前記壁部の上端よりも上方に離間した位置にある請求項９に記載の医療用トレイ。
【請求項１１】
前記凹部の底面は、前記収納空間側が低位になるように傾斜している請求項９または１０に記載の医療用トレイ。
【請求項１２】
前記各カテーテル本体がそれぞれ前記収納空間から突出するのを防止する突出防止手段を有する請求項１に記載の医療用トレイ。
【請求項１３】
前記突出防止手段は、前記壁部の上端部に、前記収納空間に向かって突出形成された板片で構成されている請求項１２に記載の医療用トレイ。
【請求項１４】
前記収納空間には、前記各カテーテルと異なる、可撓性を有する長尺の医療器具が収納可能であり、
前記底板には、前記壁部との間で、前記医療器具をそれが前記収納空間に収納されたときループを形成するように規制する規制部が突出形成されている請求項１に記載の医療用トレイ。
【発明の詳細な説明】
【技術分野】
【０００１】
本発明は、可撓性を有するカテーテル本体と、該カテーテル本体の基端部に設置されたハブとを有する複数のカテーテルを一時的に載置する医療用トレイに関する。
【背景技術】
【０００２】
可撓性を有するカテーテル本体と、カテーテル本体の基端部に設置されたハブとを有するカテーテルを使用する際、カテーテル本体の外周面（外表面）および内周面を、例えば生理食塩水（液体）に接触させて使用する。カテーテル本体を液体に接触させるには、生理食塩水で満たされた医療用トレイ内にカテーテル本体を浸潤させる方法が知られている（例えば、特許文献１参照）。【０００３】
特許文献１に記載の医療用トレイは、それぞれ、ほぼ四角形の底板と、該底板の縁部に沿って立設した壁部とで構成され、底板と壁部とで画成された空間内に生理食塩水を供給することができる。また、医療用トレイの４つの壁部の境界には、切欠き部（スリット）が複数設けられている。各切欠き部には、それぞれ、カテーテルの基端側を通すことができる。特許文献１の医療用トレイでは、切欠き部は、壁部の４つの角部にそれぞれ配置されている。【０００４】
このような従来の医療用トレイでは、各切欠き部からそれぞれカテーテルの端部を突出させて、複数のカテーテルを載置した際、これらのカテーテル本体は、切欠き部から医療用トレイの中心に向かって、それぞれ異なる方向から空間内に入り込むこととなる。このため、カテーテル本体同士が絡み合うと言う問題が生じていた。また、複数のカテーテルのうちの任意の１本のカテーテルを取り出す際、カテーテル（カテーテル本体）同士が絡み合っているため、その取り出し操作が煩わしくなっていた。また、任意の１本のカテーテルを取り出すと、その取り出されたカテーテルに他のカテーテルが巻き込まれて、当該他のカテーテルが医療用トレイから飛び出して（跳ね出して）しまうことがあった。【０００５】
【特許文献１】特開２００４−８９６１８号公報
【発明の開示】
【０００６】
本発明の目的は、載置された複数のカテーテル同士の絡み合いを防止することができ、また、複数のカテーテルうちの１本のカテーテルを取り出す際、その取り出し操作を円滑に行なうことができるとともに、取り出されたカテーテルに他のカテーテルが巻き込まれて当該他のカテーテルが飛び出すのを確実に防止することができる医療用トレイを提供することにある。
【０００７】
上記目的を達成するために、本発明は、可撓性を有する長尺のカテーテル本体と、該カテーテル本体の基端部に設置されたハブとを有する複数のカテーテルを一時的に載置する医療用トレイであって、
底板と、該底板の縁部に沿って立設した壁部とを有し、前記底板と前記壁部とで、前記各カテーテル本体が収納される収納空間が画成されるトレイ本体と、
前記カテーテルの基端側の部分を支持する複数の支持部とを備え、
前記各支持部は、前記壁部の１つに対して複数設けられたものであり、前記各支持部に支持された前記カテーテルの基端側の部分の前記壁部に対する支持角度が互いに異なるように配置されていることを特徴とする医療用トレイである。
【０００８】
これにより、載置された複数のカテーテル同士の絡み合いを防止することができ、また、複数のカテーテルうちの１本のカテーテルを取り出す際、その取り出し操作を円滑に行なうことができるとともに、取り出されたカテーテルに他のカテーテルが巻き込まれて当該他のカテーテルが飛び出すのを確実に防止することができる。
【０００９】
また、本発明の医療用トレイでは、前記各カテーテル本体は、それぞれ、前記収納空間に収納されたとき、前記壁部によって、形状がループをなすように規制されるのが好ましい。
【００１０】
これにより、カテーテルをトレイから取り出す際、当該カテーテルをそのループの接線方向とほぼ等しい方向に引張る（引張り出す）ことで、取り出し操作を容易かつ円滑に行なうことができる。
【００１１】
また、本発明の医療用トレイでは、前記各支持部は、前記カテーテルの基端側の部分を、そのカテーテル本体のループの接線方向に支持するよう構成されているのが好ましい。
【００１２】
これにより、カテーテル本体のループがトレイ底面積に対して最大限に広がるため、カテーテル本体の湾曲半径が比較的大きくなり、カテーテルの真直ぐになろうとする力を抑制し、変形による悪影響を低減するとともに、跳び出しのリスクを低減するとともに、他のカテーテルとの絡まりを抑制する。
【００１３】
また、本発明の医療用トレイでは、前記カテーテルを取り出す際、前記カテーテル本体が形成するループの接線方向とほぼ等しい方向に取り出しを行なうが好ましい。
【００１４】
これにより、カテーテルの取り出し操作を容易かつ円滑に行なうことができる。
【００１５】
また、本発明の医療用トレイでは、前記トレイ本体は、平面視での形状が四角形をなすものであり、
前記複数の支持部は、前記トレイ本体の４辺のうちの１辺に設けられているのが好ましい。
【００１６】
これにより、カテーテルの取り出し操作を容易かつ円滑に行なうことができる。
【００１７】
また、本発明の医療用トレイでは、前記トレイ本体は、平面視での形状が長方形をなすものであり、
前記複数の支持部は、前記長方形の２つの長辺のうちの１辺に集中して設けられているのが好ましい。
【００１８】
これにより、カテーテルの取り出し操作を容易かつ円滑に行なうことができる。
【００１９】
また、本発明の医療用トレイでは、前記複数の支持角度は、前記１辺の一端側から他端側に向かって徐々に小さくなっているのが好ましい。
【００２０】
これにより、各支持部に支持されたカテーテルは、それぞれ、そのカテーテル本体が同じ方向に巻回したループを容易かつ確実に形成することができる。これにより、カテーテル本体同士の絡み合いを防止することができる。
【００２１】
また、本発明の医療用トレイでは、隣接する前記支持部同士の間隔は、前記１辺の一端側から他端側に向かって徐々に大きくなっているのが好ましい。
【００２２】
これにより、各支持部に支持されたカテーテルの基端部側の部分同士の干渉を防止することができる。
【００２３】
また、本発明の医療用トレイでは、前記各支持部は、それぞれ、上方に向かって開口する凹部を有する形状がＣ字状、Ｕ字状またはその内面が屈曲したような形状をなしており、前記カテーテルの基端側の部分が前記凹部内に挿入されて支持されるのが好ましい。
【００２４】
これにより、カテーテルの基端側の部分を上方から押し込む（挿入する）ことにより、凹部が弾性変形し、カテーテルの基端側の部分を嵌合することができる。これにより、カテーテルを確実に支持することができる。
【００２５】
また、本発明の医療用トレイでは、前記凹部の底面は、前記壁部の上端よりも上方に離間した位置にあるのが好ましい。
【００２６】
これにより、カテーテルの基端側の部分をできる限り高所で支持することができ、よって、カテーテルの取り出し操作を容易に行うことができる。
【００２７】
また、本発明の医療用トレイでは、前記凹部の底面は、前記収納空間側が低位になるように傾斜しているのが好ましい。
【００２８】
カテーテルの基端側の部分が支持部に支持されることにより、そのカテーテル本体を底板に押し付けるような力が作用し、カテーテル本体が収納空間から不本意に飛び出すのを防止することができる。また、トレイ内に生理食塩水が満たされている場合、その生理食塩水にカテーテルが浸り易い。
【００２９】
また、本発明の医療用トレイでは、前記各カテーテル本体がそれぞれ前記収納空間から突出するのを防止する突出防止手段を有するのが好ましい。
【００３０】
これにより、複数本のカテーテルうちの任意の１本のカテーテルを取り出す際、その取り出されたカテーテルに他のカテーテルが巻き込まれて、当該他のカテーテルが上方に移動したとしても、その移動が規制される。これにより、前記巻き込まれたカテーテルが収納空間から飛び出すのが確実に防止される。
【００３１】
また、本発明の医療用トレイでは、前記突出防止手段は、前記壁部の上端部に、前記収納空間に向かって突出形成された板片で構成されているのが好ましい。
【００３２】
これにより、複数本のカテーテルうちの任意の１本のカテーテルを取り出す際、その取り出されたカテーテルに他のカテーテルが巻き込まれて、当該他のカテーテルが上方に移動したとしても、その移動が規制される。これにより、前記巻き込まれたカテーテルが収納空間から飛び出すのが確実に防止される。
【００３３】
また、本発明の医療用トレイでは、前記収納空間には、前記各カテーテルと異なる、可撓性を有する長尺の医療器具が収納可能であり、
前記底板には、前記壁部との間で、前記医療器具をそれが前記収納空間に収納されたときループを形成するように規制する規制部が突出形成されているのが好ましい。
【００３４】
医療器具がループを形成した状態で収納されていることにより、当該医療器具をトレイから取り出す際、各カテーテルとの識別が容易であり、その医療器具の規制部に接している部分を規制部の突出方向に沿って上方に引き上げることで、取り出し操作を容易かつ円滑に行なうことができる。
【図面の簡単な説明】
【００３５】
【図１】図１は、本実施形態の医療用トレイにカテーテルおよびガイドワイヤが載置された状態を示す平面図である。
【図２】図２は、図１中のＡ−Ａ線断面図である。
【図３】図３は、図１に示す医療用トレイが有する支持部の拡大詳細図である。
【図４】図４は、図１中のＢ−Ｂ線断面図である。
【発明を実施するための最良の形態】
【００３６】
以下、本発明の医療用トレイを添付図面に示す好適な実施形態に基づいて詳細に説明する。
図１は、本実施形態の医療用トレイにカテーテルおよびガイドワイヤが載置された状態を示す平面図、図２は、図１中のＡ−Ａ線断面図、図３は、図１に示す医療用トレイが有する支持部の拡大詳細図、図４は、図１中のＢ−Ｂ線断面図である。なお、以下では、説明の都合上、図２〜図４中の上側を「上」または「上方」、下側を「下」または「下方」と言う。また、図２中では、カテーテルおよびガイドワイヤが省略されている。【００３７】
図１に示す医療用トレイ（以下、単に「トレイ」と言う）１は、その中に生理食塩水を供給して、その状態で、複数本（図示の構成では５本）のカテーテル１１ａ、１１ｂ、１１ｃ、１１ｄおよび１１ｅと、ガイドワイヤ１２とを、例えば手術に使用する際に、一時的に載置するものである。【００３８】
図１に示すトレイ１は、手術の際に使用するに留まらず、手術に使用する様々な物品（例えば、切皮メス、注射器、脱脂綿、鉗子、イントロデューサシース、ガイドワイヤ、各種カテーテル等）をキットとして搭載する包装用容器として使用することもできる。使用時には、これらの物品を取り出して、カテーテル１１ａ〜１１ｅ等の一時的な保管所として使用する。【００３９】
トレイ１について説明する前に、カテーテル１１ａ〜１１ｅとガイドワイヤ（医療器具）１２とについて説明する。【００４０】
カテーテル１１ａ〜１１ｅは、それぞれ、血管（生体）内に挿入して用いられるものである。カテーテル１１ａ〜１１ｅの構成は、ほぼ同一であるため、以下、カテーテル１１ａについて代表的に説明する。【００４１】
カテーテル１１ａは、長尺のカテーテル本体１１１と、カテーテル本体１１１の基端部に設置されたハブ１１２とで構成されている。【００４２】
カテーテル本体１１１は、可撓性を有するチューブである。このカテーテル本体１１１のルーメン（内腔部）は、カテーテル本体１１１の先端に開放している。このルーメンは、ガイドワイヤ１２の挿通に用いられる他、血管内への薬液等の供給や液体の吸引に用いることもできる。【００４３】
また、カテーテル本体１１１の外周面および内周面には、摩擦抵抗を軽減（低減）する処理が施されている。これにより、カテーテル１１ａをその長手方向に沿って移動させる際、その操作を円滑に行なうことができる。この処理としては、例えば、ポリテトラフルオロエチレン等のフッ素系樹脂の被覆層（テフロンコート（「テフロン」は登録商標））を設けることや、シリコンコート、湿潤時に潤滑性を有する親水性ポリマーコート等が挙げられる。本実施形態では、親水性ポリマーコートが施されている。【００４４】
カテーテル本体１１１の構成材料としては、例えば、ポリエチレン、ポリプロピレン等のポリオレフィン、ポリスチレン、ポリアミド、ポリイミド、ポリエーテルエーテルケトン、ポリウレタン、ポリエチレンテレフタレート、ポリブチレンテレフタレート等のポリエステル、ポリテトラフルオロエチレン等のフッ素系樹脂、ポリオレフィン系、ポリスチレン系、ポリアミド系、ポリウレタン系、ポリエステル系、フッ素ゴム系、塩素化ポリエチレン系等の各種熱可塑性エラストマー、さらには、これらのうちの２種以上を組合せたもの（ポリマーアロイ、ポリマーブレンド等）が挙げられる。【００４５】
カテーテル本体１１１の基端部には、ハブ１１２が液密に接続されている。ハブ１１２は、円筒状の部材で構成され、その内部空間がカテーテル本体１１１のルーメンと連通している。ハブ１１２の構成材料としては、特に限定されないが、例えば、アルミニウム、ステンレス鋼のような各種金属材料や各種プラスチック等を単独または組み合わせて用いることができる。【００４６】
なお、カテーテル１１ａ〜１１ｅとしては、例えば、先端部にバルーンを有する血管拡張カテーテルや、先端部のバルーンの上にステントがマウントされたステントデリバリーカテーテルが挙げられる。バルーンやステントは、拡張時の外径や軸方向の長さ等の寸法が、様々な種類用意される必要があり、患者の病状（症例）に応じて、使い分けられる。また、病状によっては、複数のカテーテルが使用されるケースも多い。【００４７】
ガイドワイヤ１２は、可撓性を有する線状体であり、その構成材料としては、例えば、ステンレス鋼、コバルト系合金、擬弾性を示す合金（超弾性合金を含む）、ピアノ線等の各種金属材料が挙げられる。【００４８】
ガイドワイヤ１２の先端は、丸みを帯びている。これにより、ガイドワイヤ１２は血管内を先端方向にスムーズに挿通（移動）することができる。また、ガイドワイヤ１２が血管内を先端方向に移動したとき、先端によって血管壁が損傷を受けるのを確実に防止することができる。【００４９】
また、ガイドワイヤ１２の外表面には、カテーテル１１ａ〜１１ｅと同様に、親水性ポリマーコートが施されている。【００５０】
図１および図２に示すトレイ１は、トレイ本体２と、トレイ本体２と一体的に形成された複数（図示の構成では５つ）の支持部３ａ、３ｂ、３ｃ、３ｄおよび３ｅと、各支持部３ａ〜３ｅと同様にトレイ本体２と一体的に形成された規制部４と、トレイ本体２に固定された板片５ａ、５ｂ、５ｃおよび５ｄとを有している。以下、各部の構成について説明する。【００５１】
図１および図２に示すように、トレイ本体２は、底板２１と、底板２１の縁部に沿って立設した壁部２２とを有している。【００５２】
底板２１は、平面視での形状がほぼ長方形（四角形）をなすものである。その長辺および短辺の長さは、特に限定されないが、例えば、長辺が３００〜６００ｍｍであるのが好ましく、短辺が２５０〜４００ｍｍであるのが好ましい。【００５３】
各辺がこのような数値範囲内であることにより、各カテーテル１１ａ〜１１ｅおよびガイドワイヤ１２をトレイ１（トレイ本体２）内に収納した状態（図１に示す状態）で、これらは、それぞれ、ループを形成することとなり（図１参照）、このときに過剰に湾曲するのを防止することができる。カテーテル１１ａ（カテーテル１１ｂ〜１１ｅおよびガイドワイヤ１２も同様）は、自然状態（外力が付与されていない状態）でほぼ直線状になろうとする剛性を有している。このため、カテーテル１１ａは、湾曲すると、そのときの内部応力の大きさによっては、トレイ１内から飛び出してしまう可能性がある。【００５４】
また、底板２１には、その長手方向に沿った長尺な４本の凸部（凸条）２１１が設けられている。【００５５】
底板２１には、その各辺に沿って壁部２２が立設している。この壁部２２の高さとしては、特に限定されないが、例えば、３０〜１００ｍｍであるのが好ましく、５０〜８０ｍｍであるのがより好ましい。【００５６】
また、壁部２２は、底板２１の各角部２２４を境界部として、４つの部分（壁部２２ａ、２２ｂ、２２ｃ、２２ｄ）に分けることができる。各壁部２２ａ〜２２ｄには、内側に向かって突出した櫛歯状の凸部２２１が形成されている。【００５７】
トレイ本体２では、底板２１と壁部２２ａ〜２２ｄ（壁部２２）とで、収納空間２３が画成される。この収納空間２３には、カテーテル１１ａ〜１１ｅのカテーテル本体１１１とガイドワイヤ１２とがそれぞれ収納される。また、収納空間２３を生理食塩水で満たすことができるため、その中に収納されたカテーテル１１ａ〜１１ｅのカテーテル本体１１１とガイドワイヤ１２とを生理食塩水で浸潤することができる。これにより、カテーテル１１ａ〜１１ｅのカテーテル本体１１１とガイドワイヤ１２とが潤滑性を有することとなる。【００５８】
図１に示すように、カテーテル１１ａ（カテーテル１１ｂ〜１１ｅも同様）のカテーテル本体１１１は、壁部２２ａ〜２２ｄによって、形状がループをなすように規制されている。このようにカテーテル１１ａがループを形成した状態で収納されていることにより、カテーテル１１ａをトレイ１から取り出す際、当該カテーテル１１ａをそのループの接線方向とほぼ等しい方向（図１中の矢印方向）に引張る（引張り出す）ことで、取り出し操作を容易かつ円滑に行なうことができる。【００５９】
底板２１の中央部近傍には、当該底板２１の一部が隆起したような規制部４が突出形成されている。この規制部４は、平面視で円弧状をなしている（図１参照）。また、この規制部４は、その外周面４１と内周面４２とがそれぞれ底板２１の中央部側（壁部２２ｄ側）に傾倒している（図２参照）。【００６０】
図１に示すように、このような規制部４の内周面４２と壁部２２ａ、２２ｃおよび２２ｄとの間で、ガイドワイヤ１２は、その形状がループをなすように規制されている。このようにガイドワイヤ１２がループを形成した状態で収納されていることにより、ガイドワイヤ１２をトレイ１から取り出す際、当該ガイドワイヤ１２の内周面４２に接している部分を内周面４２の傾斜に沿って上方に引き上げることで、取り出し操作を容易かつ円滑に行なうことができる。【００６１】
また、収納状態のガイドワイヤ１２は、そのループの大きさが収納状態のカテーテル１１ａ〜１１ｅのループの大きさよりも小さいものとなる。これにより、ガイドワイヤ１２をカテーテル１１ａ〜１１ｅとは別に容易に取り出すことができる。【００６２】
また、前述したように規制部４の内周面４２が傾倒しているため、収納空間２３内のガイドワイヤ１２が不本意に上方へ移動する（ズレる）のを防止する（規制する）ことができる。これにより、ガイドワイヤ１２がループを形成した状態で当該ガイドワイヤ１２を確実に収納することができる。【００６３】
このような収納空間２３を有するトレイ１は、未使用状態では包装体（例えば密封袋）によって包装されており、この場合、収納空間２３（トレイ１）をガイドワイヤ１２等のようなカテーテル１１ａ〜１１ｅと異なる医療器具を予め収納する収納部（収納部材）として用いることができる。【００６４】
トレイ本体２（支持部３ａ〜３ｅおよび規制部４を含む）の構成材料としては、特に限定されないが、例えば、ポリエチレン、ポリプロピレン、ポリブタジエン、エチレン−酢酸ビニル共重合体等のポリオレフィン、ポリ塩化ビニル、ポリウレタン、ポリスチレン、ポリメチルメタクリレート、ポリカーボネート、ポリアミド、ポリエチレンテレフタレートまたはポリブチレンテレフタレート等のポリエステル、ＡＢＳ樹脂、ＡＳ樹脂、アイオノマー、ポリアセタール、ポリフェニレンサルファイド、ポリエーテルエーテルケトン等の各種樹脂材料が挙げられる。【００６５】
なお、規制部４は、トレイ本体２と一体的に形成されているのに限定されず、例えば、トレイ本体２とは別体で構成し、それをトレイ本体２に連結して（接続して）もよい。【００６６】
壁部２２ａ〜２２ｄの上端部には、それぞれ、外側に突出したつば部２２２が設けられている。壁部２２ａのつば部２２２の上面２２３には、支持部３ａ〜３ｅが突出形成されている。各支持部３ａ〜３ｅは、それぞれ、カテーテル１１ａ〜１１ｅのハブ１１２を支持するものである。各支持部３ａ〜３ｅの構成は、ほぼ同一であるため、以下、支持部３ａについて代表的に説明する。【００６７】
図３に示すように、支持部３ａは、台座（座部）３１と、台座３１から上方に向かって突出した円柱状の頭部３２とで構成されている。【００６８】
頭部３２には、その頂面３２１に開口するとともに、頭部３２をその径方向に貫通する凹部３２２が形成されている。この凹部３２２は、底面（内面）３２３がＣ字状（またはＵ字状）に湾曲している。このような凹部３２２に、円筒状をなすハブ１１２を上方から押し込む（挿入する）ことにより、凹部３２２が弾性変形し、ハブ１１２を嵌合することができる。これにより、カテーテル１１ａ（ハブ１１２）を確実に支持することができる。なお、底面３２３は、全体的に湾曲しているのに限定されず、例えば、屈曲した部分を有していてもよい。【００６９】
図４に示すように、凹部３２２の底面３２３は、壁部２２ａのつば部２２２の上面２２３よりも上方に離間して位置している。これにより、カテーテル１１ａのハブ１１２をできる限り高所で支持することができる。また、凹部３２２の底面３２３は、収納空間２３側が低位になるように傾斜している。このため、トレイ１の高位置にある凹部３２２に支持されたハブ１１２は、底面３２３に沿って、下方に向かって傾斜することとなる。【００７０】
ハブ１１２に対するこのような支持により、ハブ１１２に接続されたカテーテル本体１１１を底板２１に押し付けるような力が作用し、カテーテル本体１１１が収納空間２３から不本意に飛び出すのを防止することができる。また、カテーテル本体１１１をできるだけ根本付近（ハブ１１２近傍）から生理食塩水に確実に接触させることができる。【００７１】
また、支持部３ａがトレイ１の壁部２２の上方に突出して設けられ、高位置に配置されているため、支持部３ａに支持されているハブ１１２の取り出しを容易に行なうことができる。
支持部３ｂ〜３ｅについても、支持部３ａとほぼ同様の構成となっている。【００７２】
なお、各支持部３ａ〜３ｅの底面３２３の傾斜角度αは、全て同じであってもよいし、互いに異なっていてもよい。各支持部３ａ〜３ｅの傾斜角度αが互いに異なっている場合、これらの傾斜角度αは、壁部２２ａの壁部２２ｂ側（一端側）から壁部２２ｄ側（他端側）に向かって徐々に小さくなっているのが好ましい。【００７３】
各カテーテル本体１１１は、それぞれ、壁部２２ａの上方から下降して、壁部２２ｂに接触するとともに、底板２１にも接触する。傾斜角度αは、壁部２２ａの上方から壁部２２ｂ（底板２１）までの間、カテーテル本体１１１のほとんどがほぼ直線状をなすようになることを想定した大きさとなっている。これにより、カテーテル本体１１１にストレスが生じるのが防止または抑制される。【００７４】
また、カテーテル本体１１１の壁部２２ａの上方から壁部２２ｂ（底板２１）までの間の長さは、例えば支持部３ａに支持されたカテーテル１１ａと支持部３ｅに支持されたカテーテル１１ｅを比べた場合、カテーテル１１ｅのカテーテル本体１１１の方が、カテーテル１１ａのカテーテル本体１１１よりも長くなる。このため、支持部３ｅの傾斜角度αは、支持部３ａの傾斜角度αよりも小さくなる。また、支持部３ｂ〜３ｄの傾斜角度αは、支持部３ａの傾斜角度αと支持部３ｅの傾斜角度αとの中間の大きさとなる。【００７５】
図１および図２に示すように、支持部３ａ〜３ｅは、トレイ本体２の壁部２２ａ（４辺のうちの１辺（１つの長辺））に、集中して設けられている。カテーテル１１ａ〜１１ｅを用いた手術においては、使用者は、患者の横たわるベッドの脇（例えば患者の右手側）に患者側を向いて立ち、トレイ１やカテーテル等の器具類を置いたワゴンは、一般的に使用者の後ろ側に設置される。使用者は、トレイ１からカテーテル（例えばカテーテル１１ａ）を取り出す際に、その右手でハブ１１２を把持し、基端側に引き抜くように取り出して、患者の大腿部または右腕にカテーテル導入用穿刺孔を形成し、使用者の左側に位置する患者の心臓に対してアプローチするように、各カテーテル１１ａ〜１１ｅを使用する。従って、カテーテル１１ａ〜１１ｅの基端部を支持する支持部３ａ〜３ｅは、使用者の右側に集中して設けられるのが好ましい。【００７６】
このため、支持部３ａ〜３ｅがトレイ本体２の壁部２２ａに集中して設けられていると、壁部２２ａが使用者の右側になるようにトレイ１を置くことができるので、各支持部３ａ〜３ｅにそれぞれ支持されたカテーテル１１ａ〜１１ｅを取り出す際、使用者がいちいち体勢を変えなくて済み、その操作（取り出し操作）が容易となる。また、各カテーテル１１ａ〜１１ｅのハブ１１２がトレイ１の１つの部位（壁部２２ａ）に整頓されることとなる。これにより、各カテーテル１１ａ〜１１ｅの識別が容易となり、使用すべきカテーテルを確実に使用することができる。【００７７】
また、支持部３ａ〜３ｅにそれぞれ支持されたハブ１１２の壁部２２ａに対する支持角度、すなわち、各凹部３２２の中心軸と壁部２２ａとのなす角の大きさが互いに異なっている。【００７８】
具体的には、ハブ１１２の壁部２２ａに対する支持角度が、壁部２２ａの壁部２２ｂ側（一端側）から壁部２２ｄ側（他端側）に向かって徐々に小さくなっている。換言すれば、支持部３ａに支持されたハブ１１２の壁部２２ａに対する支持角度θ１、支持部３ｂに支持されたハブ１１２の壁部２２ａに対する支持角度θ２、支持部３ｃに支持されたハブ１１２の壁部２２ａに対する支持角度θ３、支持部３ｄに支持されたハブ１１２の壁部２２ａに対する支持角度θ４、支持部３ｅに支持されたハブ１１２の壁部２２ａに対する支持角度θ５の大小関係は、θ１＞θ２＞θ３＞θ４＞θ５を満足している（図１参照）。但し、各支持角度は、それぞれ、９０°以下である。【００７９】
また、支持角度θ１は、支持部３ａがカテーテル１１ａ（カテーテル本体１１１）をそのループの接線方向に支持することができるような角度となっている。【００８０】
これと同様に、支持角度θ２は、支持部３ｂがカテーテル１１ｂをそのループの接線方向に支持することができるような角度となっており、支持角度θ３は、支持部３ｃがカテーテル１１ｃをそのループの接線方向に支持することができるような角度となっており、支持角度θ４は、支持部３ｄがカテーテル１１ｄをそのループの接線方向に支持することができるような角度となっており、支持角度θ５は、支持部３ｅがカテーテル１１ｅをそのループの接線方向に支持することができるような角度となっている。【００８１】
支持部３ａ〜３ｅの支持角度がこのように設定されていることにより、各支持部３ａ〜３ｅに支持されたハブ１１２から突出したカテーテル本体１１１が、それぞれ同じ方向に巻回したループを容易かつ確実に形成することができる。これにより、カテーテル本体１１１同士の絡み合いを防止することができる。また、カテーテル本体１１１同士の絡み合いが防止されているため、５本のカテーテル１１ａ〜１１ｅうちの任意の１本のカテーテルを取り出す際、その取り出されたカテーテルに他のカテーテル（ガイドワイヤ１２も同様）が巻き込まれて、当該他のカテーテルがトレイ１から不本意に飛び出すのが確実に防止される。【００８２】
図２に示すように、隣接する支持部３ａ、３ｂ同士の間隔（ピッチ）Ｐ１、隣接する支持部３ｂ、３ｃ同士の間隔Ｐ２、隣接する支持部３ｄ、３ｄ同士の間隔Ｐ３、隣接する支持部３ｄ、３ｅ同士の間隔Ｐ４は、壁部２２ａの壁部２２ｂ側から壁部２２ｄ側に向かって徐々に大きくなっている。仮にＰ１＝Ｐ４とした場合、支持部３ａから支持部３ｄに行くにしたがって、各支持部３ａ〜３ｅの角度差が小さくなるため、例えば支持部３ｅと支持部３ｄとの部分では、カテーテル１１ｅ、１１ｄのハブ１１２同士が干渉し易くなり、取り出しにくくなる。そこで、干渉し易い間隔Ｐ３や間隔Ｐ４を広げることで、ハブ１１２同士の干渉を防止することができる。【００８３】
なお、本実施形態は、使用者が右利きであることを前提としたものであり、使用者が左利きである場合は、左右を入れ替えてもよい。【００８４】
また、前述したように、支持部３ａ〜３ｅは、壁部２２ａのつば部２２２の上面２２３に突出形成されている。【００８５】
ここで仮に支持部を壁部２２ａを凹状（スリット状）に切り欠いて形成しようとした場合、ハブ１１２の支持角度が小さくなればなる程、当該ハブ１１２を支持する支持部を形成するのが困難（不可能）となる。また、収納空間２３内には、生理食塩水が満たされているため、トレイ１の傾き（載置状態（使用状態））等によっては、生理食塩水が支持部から漏れ出してしまうおそれがある。【００８６】
しかしながら、トレイ１では、支持部３ａ〜３ｅが突出形成されているため、このような問題が生じるのが防止されている。【００８７】
なお、各支持部３ａ〜３ｅは、それぞれ、トレイ本体２と一体的に形成されているのに限定されず、トレイ本体２とは別体で構成し、それをトレイ本体２に連結して（接続して）もよい。【００８８】
図１に示すように、壁部２２ａ〜２２ｄのつば部２２２には、それぞれ、収納空間２３に向かって突出した板片５ａ〜５ｄが固定されている。各板片５ａ〜５ｄは、それぞれ、カテーテル１１ａ〜１１ｅやガイドワイヤ１２が収納空間２３から突出するのを防止する突出防止手段として機能するものである。また、壁部２２ａ〜２２ｄに対する固定方法としては、特に限定されないが、例えば、圧着嵌合、接着（接着剤や溶媒による接着）、融着（熱融着、高周波融着、超音波融着等）が挙げられる。【００８９】
板片５ａは、壁部２２ａの中央部に配置され、板片５ｂは、壁部２２ｂの中央部に配置され、板片５ｃは、壁部２２ｃの中央部に配置され、板片５ｄは、壁部２２ｄの中央部に配置されている。【００９０】
また、板片５ａおよび５ｃの長さは、ほぼ同等である。板片５ａの長さ（板片５ｂも同様）は、壁部２２ａの長さの５〜８０％であるのが好ましく、２０〜５０％であるのがより好ましい。板片５ａおよび５ｃの長さがこのような数値範囲内であると、カテーテル１１ａ〜１１ｅの取り出す際に、板片５ａおよび５ｃが邪魔になる（取り出しの妨げになる）のを防止することができる。【００９１】
また、板片５ｂおよび５ｄの長さは、ほぼ同等であり、板片５ａの長さよりも短い。板片５ｂの長さ（板片５ｄも同様）は、壁部２２ｂの長さの５〜８０％であるのが好ましく、１０〜３０％であるのがより好ましい。板片５ｄは、使用者の立ち位置側に位置する場合、さらに小さい方が、カテーテル１１ａ〜１１ｅ等の出し入れ、および種類の認識が容易となり、好ましい。【００９２】
このような板片５ａ〜５ｄの作用は、ほぼ同じであるため、以下、板片５ｃについて代表的に説明する。【００９３】
図１に示すように、板片５ｃは、カテーテル１１ａ〜１１ｅのカテーテル本体１１１や、ガイドワイヤ１２の壁部２２ｃに当接しているそれぞれの部分を上方から覆っている。この状態で５本のカテーテル１１ａ〜１１ｅうちの任意の１本のカテーテルを取り出す際、その取り出されたカテーテルに他のカテーテル（ガイドワイヤ１２も同様）が巻き込まれて、当該他のカテーテル（カテーテル本体１１１）の壁部２２ｃに当接している部分が上方に移動したとしても、板片５ｃでその移動が規制される。これにより、前記巻き込まれたカテーテルが収納空間２３から飛び出すのが確実に防止される。【００９４】
なお、板片５ａ〜５ｄは、トレイ本体２とは別体で構成し、それをトレイ本体２に固定したものに限定されず、例えば、トレイ本体２と一体的に形成されたものであってもよい。【００９５】
以上、本発明の医療用トレイを図示の実施形態について説明したが、本発明は、これに限定されるものではなく、医療用トレイを構成する各部は、同様の機能を発揮し得る任意の構成のものと置換することができる。また、任意の構成物が付加されていてもよい。【００９６】
また、トレイ本体（底板）の平面視での形状は、長方形に限定されず、例えば、正方形であってもよい。【００９７】
また、各支持部は、それぞれ、カテーテルのハブを支持しているが、これに限定されず、例えば、カテーテル本体の基端部（ハブ近傍）を支持してもよい。【００９８】
また、医療用トレイに載置されるカテーテルの本数は、５本に限定されず、例えば、２本、３本、４本、６本以上であってもよい。【００９９】
また、医療用トレイに載置されるガイドワイヤの本数は、１本に限定されず、例えば、２本以上であってもよい。【０１００】
また、複数の支持部は、２つの長辺のうちの一方の長辺に集中して配置されているのに限定されず、例えば、短辺や他方の長辺にも集中して配置されていてもよい。【０１０１】
また、複数の支持部は、それぞれに支持されるハブの支持角度が全て異なるように配置されているが、これらの支持部の他に、前記複数の支持部のうちの１つの支持部（ハブ）と同じ支持角度をなす支持部が配置されていてもよい。
【産業上の利用可能性】
【０１０２】
本発明の医療用トレイは、可撓性を有する長尺のカテーテル本体と、該カテーテル本体の基端部に設置されたハブとを有する複数のカテーテルを一時的に載置する医療用トレイであって、底板と、該底板の縁部に沿って立設した壁部とを有し、前記底板と前記壁部とで、前記各カテーテル本体が収納される収納空間が画成されるトレイ本体と、前記カテーテルの基端側の部分を支持する複数の支持部とを備え、前記各支持部は、前記壁部の１つに対して複数設けられたものであり、前記各支持部に支持された前記カテーテルの基端側の部分の前記壁部に対する支持角度が互いに異なるように配置されている。そのため、各支持部に支持されたカテーテルのカテーテル本体が、収納空間に収納されたとき、ループを容易かつ確実に形成することができる。これにより、カテーテル同士の絡み合いを確実に防止することができる。また、カテーテル同士の絡み合いが防止されているため、複数のカテーテルうちの１本のカテーテルを取り出す際、その取り出し操作を円滑に行なうことができる。また、取り出されたカテーテルに他のカテーテルが巻き込まれて、当該他のカテーテルが医療用トレイから不本意に飛び出すのが確実に防止される。また、複数の支持部は、四角形（長方形）をなすトレイ本体の４辺のうちの１辺（１つの長辺）に集中して設けられ、複数の支持角度は、その１辺の一端側から他端側に向かって徐々に小さくなっている場合、各支持部に支持されたカテーテルのカテーテル本体が、収納空間に収納されたとき、それぞれ同じ方向に巻回したループを容易かつ確実に形成することができる。これにより、カテーテル同士の絡み合いをより確実に防止することができる。従って、本発明の医療用トレイは、産業上の利用可能性を有する。
【図１】
2008139852.tif 000003
【図２】
2008139852.tif 000004
【図３】
2008139852.tif 000005
【図４】
2008139852.tif 000006
【国際調査報告】
2008139852.tif 000007
2008139852.tif 000008
2008139852.tif 000009
2008139852.tif 000010